(57)【要約】【課題】シャッター装置の施錠装置の解錠操作を行うための操作紐の端部に取り付けられたツマミ部材をシャッターカーテンを閉じた際にシャッターカーテン内に巻き込む構成としても、シャッターカーテンに傷やへこみが生じないようにする。【解決手段】ツマミ部材５の厚さがシャッターカーテン２のスラット６の室内側の凹部６１の深さとほぼ同等とされる。ツマミ部材５の一方の側面に磁石が露出した状態に配置されている。ツマミ部材５の縦方向の長さが横方向の長さより長く形成されている。ツマミ部材５の横方向を上下方向に沿わせて場合に、磁石をスラット６の凹部６１の底面に当接若しくは近接可能となっている。一方、ツマミ部材５の縦方向を上下方向に沿わせた場合に、ツマミ部材５がスラット６の上下側縁の少なくとも一方に干渉されて磁石をスラット６の凹部６１の底面に近接不可能となっている。【選択図】図４
2007308998.tif 000002
【特許請求の範囲】
【請求項１】
建築物の開口部を開閉するために昇降移動可能で、かつ、複数のスラットを連結して形成されたシャッターカーテンと、
前記シャッターカーテンを閉じた状態で、前記シャッターカーテンの下端を前記開口部の下端部側に掛止した状態に保持する施錠装置の解錠操作を行う操作紐と、
前記操作紐の端部に取り付けられるとともに、磁石を有して前記スラットに吸着可能なツマミ部材を備え、
前記スラットは、左右方向に長尺に形成されるとともに上下方向に沿った形状が室内側が凹部となるように湾曲した形状とされ、
前記ツマミ部材の厚さが前記スラットの室内側の前記凹部の深さとほぼ同等とされるとともに、前記ツマミ部材の一方の側面に前記磁石が露出した状態に配置され、
前記ツマミ部材の縦方向の長さが横方向の長さより長く形成され、
前記磁石を前記スラットの室内側の凹部に向けた状態で、前記ツマミ部材の横方向を上下方向に沿わせて場合に、前記ツマミ部材が前記スラットの上下の側縁部に干渉することなく前記磁石を前記スラットの凹部の底面に当接若しくは近接可能で、
かつ、前記ツマミ部材の縦方向を上下方向に沿わせた場合に、前記ツマミ部材が前記スラットの上下側縁の少なくとも一方に干渉されて前記磁石を前記スラットの凹部の底面に近接不可能となっていることを特徴とするシャッター装置。
【発明の詳細な説明】
【技術分野】
【０００１】
本発明は、開閉自在なシャッターカーテンを備えるとともに、シャッターカーテンを閉じた状態に保持する施錠装置を解錠する操作紐と、操作紐の先端部に取り付けられたツマミ部材とを備えたシャッター装置に関する。
【背景技術】
【０００２】
住宅等の建築物の窓等の開口部に設けられるシャッター装置は、開口部の左右に立設された一対のガイドレールに沿ってシャッターカーテンが昇降可能に設けられ、このシャッターカーテンを巻取ドラムに巻き取ることでシャッターカーテンを引き上げて開口部を開放し、シャッターカーテンを巻取ドラムから引き出して開口部を閉塞するようになっている。
前記ガイドレールやシャッターカーテン及び巻取ドラムを備えたシャッター本体は、建築物の開口部に取り付けられるるとともにシャッタ装置が取り付け可能な窓サッシの室外側に取り付けられている。
また、シャッターカーテンは、左右に細長いスラットを上下方向に多数連結することにより、巻取ドラムに巻き取ることが可能な構成とされるとともに、上端部が巻取ドラムに接続され、下端部には、シャッターカーテンの先端部材となる巾木が設けられている。
この巾木は、最下端となるスラットに連結されるとともに、スラットと略同様に前記ガイドレールにガイドされるように左右のガイドレールに渡る長さを有する。
【０００３】
そして、巾木には、開口部側に固定された前記ガイドレール等を有する枠側と係合してシャッターカーテンを閉じた状態に保持する施錠装置が設けられている。
この施錠装置には、様々なものが知られているが、例えば、枠部材の下枠部分に受けピンを配置し、巾木側にこの受けピンに係合するロック部材と、ロック部材とリンクするレバーとを備えたものが知られている（例えば、特許文献１参照）。
【０００４】
ロック部材及びレバーは、共に回転自在となっており、シャッターカーテンを閉める際に、巾木が受けピンの位置まで下降すると、受けピンがロック部材に接触し、これに伴ってロック部材が回転することで、受けピンとロック部材が係合して施錠された状態となる。
この状態でレバーを上に引くと、レバーにリンクしたロック部材が回転し、受けピンとの係合が解除されるようになっている。
前記特許文献１では、このレバーに操作紐が取り付けられ、この操作紐を上に引き上げることで、レバーを解錠側に操作可能となっている。
なお、巾木に前記レバーに連動するとともに左右に長い手掛けレバーを取り付け、この手掛けレバーに操作紐を取り付けたものも知られている。
【０００５】
手掛けレバーは、巾木に対して左右に延在する軸方向回りに回転可能に嵌合しており、この手掛けレバーを回転させることで、上述のレバーを介してロック部材を回転させることにより解錠可能となっている。したがって、操作紐を介して手掛けレバーを操作することにより解錠してもよいし、左右に長い手掛けレバーに直接手を掛けて解錠してもよい。
【０００６】
【特許文献１】特開２００１−３１１３４１号公報
【発明の開示】
【発明が解決しようとする課題】
【０００７】
ところで、上記操作紐の端部には、磁石を有するツマミ部材が設けられている。このツマミ部材を、シャッターカーテンを閉じた状態で、シャッターカーテンのスラットに磁力により吸着させることで、操作紐が床側に乱雑に落ちた状態となるのを防止し、かつ、解錠操作する際に、かがむことなく容易にツマミ部材を手に取れるようにしていた。
また、シャッターカーテンを開放する際には、前記特許文献１に示されるように、シャッターカーテンの収納部となる巻取ドラムのカバー部材のシャッターカーテンの通過口部分に邪魔板（例えば、止水パッキンでも可）等を設け、これにより、シャッターカーテンに吸着したツマミ部材が通過する際に、シャッターカーテンからツマミ部材を引き離して落下させるようになっていた。
【０００８】
また、ツマミ部材は、その大きさを有る程度大きくし、それに伴ってある程度重量も大きくすることにより、邪魔板等により容易に落下する形状としていた。
しかし、例えば、勢いよくシャッターカーテンを開放したような場合には、シャッターカーテンを開放した際に、ツマミ部材に勢いがついて、止水パッキンの部分を通りこして、カバー部材内に進入するとともに、その勢いで、シャッターカーテンの既に巻取ドラムに巻き取られた部分と、これから巻き取られる部分の間にツマミ部材が入り込んでしまう場合があった。
この場合に、巻取ドラムに巻き取られたシャッターカーテンは、それぞれ断面が湾曲した状態のスラットが連結されたものであることから、凹凸があり、この凹凸によりツマミ部材が回転方向に引きずられ、シャッターカーテン同士の間にツマミ部材が入り込んだままシャッターカーテンが巻き取られてしまう可能性が高い。
【０００９】
この場合に、幾重にか巻き取られた状態のシャッターカーテン同士の間にツマミ部材を巻き込んだ際の圧力で、シャッターカーテンに傷が付いたり、ツマミ部材の形状に対応してシャッターカーテンにへこみができたりしてしまう場合があった。
特に、ツマミ部材が巻き込まれるのを防止するために、上述のようにツマミ部材が大きくされていることで、逆に巻き込んでしまった場合に、傷やへこみができる可能が高くなっていた。
【００１０】
この場合にツマミ部材を小さくすることにより、巻き込んでもシャッターカーテンの湾曲するスラットの凹部内にツマミ部材が入り込んでしまう大きさとすることも考えられるが、ツマミ部材を余り小さくしてしまうと持ちづらくなり操作性が悪くなるとともに、ツマミ部材が湾曲するスラットの凹部ではなく、スラット同士の接続部もしくはその近傍に吸着してしまうと、ツマミ部材が小さくてもシャッターカーテンに傷やへこみをつけてしまう可能性があった。
【００１１】
なお、確実にツマミ部材を落下させるために、邪魔板として軟質な止水パッキンではなく、硬質な樹脂製のものを使うことも考えられる。
しかし、基本的にツマミ部材を落下させる構成とした場合に、ツマミ部材が軽量な樹脂製のものであっても、シャッターカーテンを開放した際に、開放した操作者側にツマミ部材が向かってくる可能性があり、好ましいものではなかった。
【００１２】
本発明はこのような事情に鑑みてなされたもので、シャッター装置の施錠装置の解錠操作を行うための操作紐の端部に取り付けられたツマミ部材をシャッターカーテンを閉じた際にシャッターカーテン内に巻き込む構成としても、シャッターカーテンに傷やへこみが生じないようにすることを目的とする。
【課題を解決するための手段】
【００１３】
前記目的を達成するために、請求項１に記載のシャッター装置は、
建築物の開口部を開閉するために昇降移動可能で、かつ、複数のスラットを連結して形成されたシャッターカーテンと、
前記シャッターカーテンを閉じた状態で、前記シャッターカーテンの下端を前記開口部の下端部側に掛止した状態に保持する施錠装置の解錠操作を行う操作紐と、
前記操作紐の端部に取り付けられるとともに、磁石を有して前記スラットに吸着可能なツマミ部材を備え、
前記スラットは、左右方向に長尺に形成されるとともに上下方向に沿った形状が室内側が凹部となるように湾曲した形状とされ、
前記ツマミ部材の厚さが前記スラットの室内側の前記凹部の深さとほぼ同等とされるとともに、前記ツマミ部材の一方の側面に前記磁石が露出した状態に配置され、
前記ツマミ部材の縦方向の長さが横方向の長さより長く形成され、
前記磁石を前記スラットの室内側の凹部に向けた状態で、前記ツマミ部材の横方向を上下方向に沿わせて場合に、前記ツマミ部材が前記スラットの上下の側縁部に干渉することなく前記磁石を前記スラットの凹部の底面に当接若しくは近接可能で、
かつ、前記ツマミ部材の縦方向を上下方向に沿わせた場合に、前記ツマミ部材が前記スラットの上下側縁の少なくとも一方に干渉されて前記磁石を前記スラットの凹部の底面に近接不可能となっていることを特徴とする。
【００１４】
請求項１記載の発明において、湾曲するスラッタの断面形状は、シャッター装置により異なる可能性があるが、ツマミ部材の横方向に沿った断面形状が、スラットの凹部内に収まる形状とされ、ツマミ部材の縦方向の沿った断面形状がスラットの凹部より大きく、スラットの凹部内に収まらない形状となっている。
【発明の効果】
【００１５】
請求項１記載のシャッター装置によれば、ツマミ部材の横方向を上下方向に沿わせるとともに磁石をスラットの室内側凹部に向けた状態で、ツマミ部材をスラットの凹部内に入れた状態にして磁石をスラットに吸着させた場合に、ツマミ部材の厚さがスラットの凹部の深さとほぼ同等なので、シャッターカーテンを閉塞する際に、シャッターカーテンとともにツマミ部材が巻き取られても、止水パッキン等に邪魔されることなく、幾重かに巻かれるシャッターカーテン同士の間に入ってツマミ部材が落下することがない。
また、ツマミ部材がスラットの凹部にほぼ収まった状態なので、巻き取られたシャッターカーテン同士の間にツマミ部材が挟まれた状態となっても、シャッターカーテンに傷やへこみが生じることがない。
【００１６】
また、ツマミ部材の横方向を上下方向に沿わせた場合には、スラットの凹部の曲面に案内されて円滑にスラットの凹部内にツマミ部材が入り易いので、スラット同士の連結部にツマミ部材が不安定な状態で吸着される可能性が極めて低い。
一方、ツマミ部材の縦方向を上下方向に沿わせた場合には、磁石をスラットの凹部の底面に近づけられないので、ツマミ部材がスラットに吸着されずらく、シャッターカーテンにツマミ部材が吸着される可能性が低く、操作者は自然にツマミ部材の横方向を上下方向に沿わせてスラットに吸着させる可能性が高くなる。
【００１７】
また、ツマミ部材の縦方向を上下方向い沿わせた状態でもスラット同士の連結部にならツマミ部材の磁石が吸着される可能性があるが、この場合には、磁石とスラットの当接もしくは近接する部分が極めて狭くなるので、ツマミ部材のスラットへの吸着力が弱くなっているとともに、ツマミ部材が縦方向となっているので、ツマミ部材がちょっと斜めになるだけでも、スラットから室内側に大きく突出した状態となり、従来と同様の止水パッキンがある場合に、止水パッキンに接触したツマミ部材がスラットから引き剥がされて落下することになる。この場合に、ツマミ部材の落下を防止することはできないが、ツマミ部材がスラット同士の連結部に吸着された状態で巻き込まれることにより、シャッターカーテンに傷やへこみを生じてしまうのを確実に防止することができる。
【００１８】
すなわち、単にツマミ部材を小さくした場合で、かつ、ツマミ部材がスラット同士の連結部に吸着した場合には、止水パッキン等があっても、すり抜ける可能性が高くなり、スラットの連結部に吸着したツマミ部材が巻き取られたシャッターカーテンの間に挟まれることで、スラットの連結部に傷やへこみが生じることを防止できない。
【００１９】
なお、ツマミ部材がスラット同士の連結部に吸着した場合には、磁石とスラットとが当接もしくは近接する部分が狭いので、吸引力が弱く、止水パッキンに確実に接触する程度の大きさがあれば、止水パッキンが軟質なものでも確実にツマミ部材を落下させることができる。
また、ツマミ部材がスラット同士の連結部に吸着した場合は、吸着力が弱くツマミ部材が不安定な状態となっているので、止水パッキンに接触した場合に、ツマミ部材が横方向を上下方向に沿わせた状態となるように回転しながら下方に滑って、スラットの凹部内にツマミ部材が吸着した状態となる可能性が十分に高く、必ずしも、ツマミ部材が落下するとは限らない。
また、ツマミ部材が斜めになった状態でスラットの凹部に吸着されそうになった場合には、湾曲されたスラットの内面に案内されてツマミ部材が横方向を上下方向に沿わせた状態となって、スラットの凹部内に吸着される可能性が高く、スラットにツマミ部材を吸着させる際に、ツマミ部材が縦方向をほぼ上下方向に沿わせた状態となっていなければ、ツマミ部材をスラットの凹部に吸着させることが可能である。
【発明を実施するための最良の形態】
【００２０】
以下、添付した図面を参照しながら、本発明の実施の形態を説明する。
図１は本発明の実施の形態に係るシャッター装置１を備えた開口部装置としての窓サッシ２０を示し、図２はシャッター装置１のシャッターカーテン２の下端に取り付けられるとともに操作紐３が取り付けられた巾木４を示し、図３は操作紐３の先端部に取り付けられたツマミ部材５を示し、図４〜図７は、シャッターカーテン２のスラット６にツマミ部材５を吸着もしくは吸着させようとした状態を示している。
図１に示すように窓サッシ２０は、建築物の開口部にはめ込まれる矩形枠状の枠部材２１を備え、該枠部材２１の室外側にシャッター装置１が設けられ、シャッター装置１の室内側に左右に移動自在な一枚の網戸２２と、ガラス板２３がはめ込まれた外障子２４と内障子２５とを備えている。
【００２１】
そして、この窓サッシ２０に一体に備えられたシャッター装置１は、前記枠部材２１の左右側部の前部にそれぞれ上下に延在する一対のガイドレール（図示略）が備えられている。
そして、このガイドレールに左右側部を案内されるように、シャッターカーテン２が設けられている。シャッターカーテン２は、左右に細長いスラット６を上下方向に多数連結したものであり、巻き取ることが可能となっている。スラット６は、この例において磁石が吸着可能な例えば鉄により形成されている。
【００２２】
そして、前記枠部材２１の上には、シャッターカーテン２を巻き取る巻取ドラム７が回転可能に取り付けられるとともに、巻取ドラム７はカバー部材８に覆われた状態となっている。
そして、巻取ドラム７の外周面には、シャッターカーテン２の上端部が固定され、巻取ドラム７が正転することによりシャッターカーテン２を巻き取って、シャッターカーテン２を上昇させてシャッターカーテン２を開放状態とするとともに、巻取ドラム７を逆転することによりシャッターカーテン２を下降させてシャッターカーテン２を閉塞状態とするようになっている。
【００２３】
この例では、シャッター装置１は、手動式のものとされ、巻取ドラム７は、正転方向に付勢されており、シャッターを閉塞状態とする場合には、巻取ドラム７に巻き取られたシャッターカーテン２の巾木４（手掛けレバー９）に手を掛けて付勢力に抗してシャッターカーテン２を巻取ドラム７から引き出すことにより、シャッターカーテン２を閉塞状態とし、後述の施錠装置１０により施錠することで、シャッターカーテン２を閉塞状態に保持するようになっている。また、閉塞状態のシャッターカーテン２において施錠装置１０の施錠を解錠すると、付勢された巻取ドラム７によってシャッターカーテン２が巻き取られることで、自動的にシャッターカーテン２が開放状態となるとともに、開放状態に保持されるようになっている。なお、本発明のシャッター装置１は、手動式に限られるものではなく、巻取ドラム７をモータ等で駆動する電動式にも適用可能である。
【００２４】
シャッターカーテン２の下端部には、シャッターカーテン２の先端部（下端部）を構成する巾木４が設けられている。
そして、図２に示すように、この巾木４に施錠装置１０と施錠装置１０の解錠操作を行うための手掛けレバー９が取り付けられている。
施錠装置１０を有する巾木４は、上述の左右一対のガイドレール間に渡る長さを有するものとなっている。
そして、巾木４の両端部には、付勢された巻取ドラム７によってシャッターカーテン２を閉じる際に、カバー部材８の所定位置に当接して、シャッターカーテン２を閉じる際の衝撃を吸収する衝撃緩衝装置１１，１１が設けられている。
【００２５】
そして、巾木４に対応して左右に延在する手掛けレバー９は、巾木４に対してその長さ方向に沿った軸回りに回動自在とされており、手掛けレバー９を回転させることで、手掛けレバーに連動する施錠装置１０を解錠可能となっている。
さらに、手掛けレバー９には、操作紐３が取付部材３１を介して取り付けられ、操作紐３を上に引き上げることで手掛けレバー９を回転させることにより施錠装置１０を解錠可能となっているとともに、巾木４を上方に引き上げて、シャッターカーテン２を上昇させることが可能となっている。
なお、操作紐３を手掛けレバー９ではなく、直接施錠装置１０に接続して、施錠装置１０の解錠操作を可能としてもよい。
【００２６】
そして、操作紐３の先端部には、図３に示すツマミ部材５が取り付けられている。ツマミ部材５は、Ｕ字状で操作紐３を取り付ける紐取付部５１と、Ｕ字状の紐取付部５１の開放側端部に一体に形成される円板状の磁石取付部５２と、磁石取付部５２の一方の側面側に露出するように固定される円板状の磁石５３と、円板状の磁石取付部５２の他方の側面側に一体に形成される円板状の円板部５４とを備えている。
【００２７】
前記紐取付部５１は、２本の棒状部分と、これらを連結する半円弧部分とからＵ字状に形成されるとともに、半円弧部分に、棒状部分と平行となるように操作紐３を挿通させる操作紐の挿通孔５５が形成されている。そして、操作紐３の先端部をＵ字状の紐取付部５１の外側から挿通孔５５内に挿入し、Ｕ字状の紐取付部５１の内部空間側に引き出した状態で、操作紐３の先端部に結び目を形成することで、操作紐３の先端部にツマミ部材５を取り付け可能となっている。
【００２８】
なお、紐取付部５１を例えば半円板状とし、操作紐３の先端部を紐取付部５１内に埋設した状態に固定するものとしてもよいが、上述のように紐取付部５１をＵ字状とし、その内部空間に操作紐３の結び目を形成することで、紐取付部５１に対して操作紐３を容易に着脱可能とすることができる。したがって、操作紐３が切れたような場合に、容易にツマミ部材５を取り付けなおすことができる。また、操作紐３の結び目は、紐取付部５１内の空洞部に配置されることで、結び目がツマミ部材５から突出することがない。これにより、結び目が突出して、後述のようにスラット６の凹部６１内にツマミ部材５が収納された状態となるを阻害することがない。
【００２９】
前記磁石取付部５２は、Ｕ字状の紐取付部５１の開放側に形成されることで、紐取付部５１の開放側を閉塞した状態となっている。
また、円板状の磁石取付部５２の径は、Ｕ字状の紐取付部５１の幅（２本の棒状部分に直交する長さ）とほぼ同じとなっている。また、円板状の磁石取付部５２の一方の側面には、磁石取付部５２より径が小さく磁石取付部５２に対して略同心円となるように、円板状の磁石収納凹部５６が形成されている。
【００３０】
前記磁石５３は、前記磁石収納凹部５６と略同形状となる円板状に形成され、磁石収納凹部５６に収納された状態で、磁石取付部５２に接着されている。また、磁石取付部５２に固定された磁石５３の一方の側面は、磁石収納凹部５６の開口から露出した状態となっている。また、磁石５３の露出する一方の側面と、磁石取付部５２の一方の側面とは略同一平面内（面一）となる。
【００３１】
前記円板部５４は、前記磁石取付部５２より大きな径となるとともに、その中心が磁石取付部５２の中心に対して偏心した状態で磁石取付部５２に一体に形成されている。また、円板部５４は、磁石取付部５２の磁石５３が取り付けられた側面とは反対側となる側面側に形成されている。そして、円板部５４の中心は、紐取付部５１が一体となった磁石取付部５２の中心に対して、紐取付部５１と反対となる方向に偏心している。
また、円板部５４の外周内に磁石取付部５２が収まった状態に重なっているとともに、円板部５４の紐取付部５１側の外周部分と、磁石取付部５２の紐取付部５１側の外周部分が略重なる状態となっている。
【００３２】
また、円板部５４は、磁石取付部５２の磁石５３が露出する側の面をスラット６に吸着させた場合に、スラット６の反対側に、スラット６の磁石５３に吸着された部分と間隔をあけて配置され、かつ、磁石取付部５２より径が大きいことにより庇状に磁石取付部５２から外側に突出した状態となっていることで、ツマミ部材５をスラット６から引き剥がす際に、指をかける部分となっている。すなわち、円板部５４の突出部分と、スラット６との間に指を入れることで、ツマミ部材５をスラット６から容易に引き剥がせるようになっている。
【００３３】
そして、ツマミ部材５において、紐取付部５１、磁石取付部５２、円板部５４の中心が一直線上に並んだ状態とされている。ここで、前記直線に沿った方向をツマミ部材５の縦方向とし、前記直線に直交する方向を横方向とする。
それにより、ツマミ部材５の縦方向の長さは、円板部５４の径に紐取付部５１の中心線（棒上部分の長さ方向）に沿った長さを足したものとなり、横方向の長さは、円板部５４の径となる。したがって、ツマミ部材５の縦方向の長さが横方向の長さより長くなっている。
【００３４】
ここで、図４〜図６に示すように、スラット６は、その断面形状において、上下側縁部に対して中央部が室外側に凸、室内側に凹となるように湾曲している。また、上部と下部で湾曲率が異なるが、上部と下部に湾曲率が高い部分（屈曲部）が複数箇所あり、中央部が湾曲率が低く平面に近い状態となっている。したがって、スラット６の室内側の凹部６１の比較的平面に近い部分が凹部６１の底面となる。なお、この例では、図４に示すように凹部６１の底面は、スラット６の上下の中央部よりの上下二つの屈曲部６２，６３の間とする。
【００３５】
そして、図４、図５に示すように、ツマミ部材５は、その縦方向の長さがスラット６の上下方向の幅にほぼ等しくされ、スラット６の凹部６１の上下幅より長くなっている。これにより、ツマミ部材５の縦方向を上下方向に沿わせた場合には、ツマミ部材５の上下のほぼ中央部にある磁石５３をスラット６の凹部６１の底面に接触させることが不可能となっており、凹部６１の底面に近接させることもできないようになっている。
【００３６】
すなわち、スラット６の上下側縁部と、ツマミ部材５の縦方向における上下側縁部とを接触させると、磁石５３と、凹部６１の底面との間に凹部６１のほぼ深さ分の距離があくことになり、この状態がツマミ部材５の位置を上下にずらして、縦方向のツマミ部材の上端部もしくは下端部を凹部６１の底面に接触させると、ツマミ部材５の下部もしくは上部がスラット６の下側縁部もしくは上側縁部に乗り上げてツマミ部材５が凹部６１の底面に対して斜めとなり、ツマミ部材５の上下のほぼ中央部にある磁石を凹部６１の底面に近接させることも当接させることもできない。
したがって、ツマミ部材５の縦方向を上下方向に沿わせた場合には、ツマミ部材５をスラット６の凹部６１内にほぼ収納した状態で、凹部６１の底面に磁石５３を吸着させるようにして、スラット６にツマミ部材５を吸着させることができない。
【００３７】
なお、スラット６同士の連結部、すなわち、スラット６の上側縁部や下側縁部は、室内側に突出した状態となっているので、ツマミ部材５の縦方向を上下方向に沿わせた状態でもツマミ部材５をスラット６に吸着させることが可能となる。
一方、ツマミ部材５の横方向を上下方向に沿わせた場合に、ツマミ部材５の円板部５４より突出した状態の磁石取付部５２の径がスラット６の凹部６１の底面の幅とほぼ同等となっているとともに、ツマミ部材５の横方向に沿った長さとなる円板部５４の径が凹部６１の開口部分の上下幅より短いことから、図６に示すように、スラット６の凹部６１内にツマミ部材５をほぼ収容した状態で、磁石５３を凹部６１の底面に吸着させることが可能となっている。
【００３８】
すなわち、ツマミ部材５の横方向に沿った断面形状は、磁石取付部５２から露出する磁石５３の露出面をスラット６の凹部６１の底面に向けた状態で、凹部６１内に収まる形状となっている。それに大して、ツマミ部材５の縦方向に沿った断面形状は、凹部６１内に収まらない形状となっている。
【００３９】
また、ツマミ部材５は、複合構造をしており、紐取付部５１内にはＵ字状の硬質樹脂からなるフレームが内蔵され、磁石取付部５２には、円板状のフレームが内蔵された状態となっている。また、Ｕ字状のフレームと円板状のフレームは一体に形成されており、Ｕ字状のフレームには、上述の挿通孔５５が形成されている。
そして、この硬質樹脂のフレームの周囲をゴム状の軟質樹脂が覆った状態となっている。なお、円板部５４は、その全体が軟質樹脂性となっている。なお、この例では、ゴム状の軟質樹脂としてエストラマーが用いられている。なお、ツマミ部材５の製造方法は、まず、硬質樹脂で、Ｕ字と円板とが一体になったフレームを成型し、次いで、ツマミ部材５用の金型内にフレームをセットした状態でエストラマーを金型に充填して硬化させる。
これにより、フレームの周囲は、全てエストラマーに覆われた状態となっている。
【００４０】
このような構成とすることで、操作紐３は、フレームに固定されることになり、ツマミ部材５で操作紐３を引っ張る構成としても、エストラマー部分が千切れてしまうようなことがなく、かつ、シャッターカーテン２を開閉する際に、ツマミ部材５がシャッターカーテン２に激しくぶつかるようなことがあっても、ツマミ部材５の周囲を形成するエストラマーにより、衝撃が緩衝され、シャッターカーテン２が傷つくようなことがない。
【００４１】
以上のようなツマミ部材５の使用方法および作用効果を説明する。
ツマミ部材５は、シャッターカーテン２を閉めた状態で、シャッターカーテン２の下端部より上方のスラット６に吸着された状態となっており、シャッターカーテン２を開放する際に、ツマミ部材５をスラット６から引き剥がして上に引き上げることで、施錠装置１０を解錠することができるとともに、シャッターカーテン２を上に移動させることができる。
【００４２】
そして、シャッターカーテン２を有る程度引き上げた状態で、再び、ツマミ部材５をスラット６側に押し付けることで、磁石５３によりツマミ部材５をスラット６に吸着させることができる。この際に、上述のツマミ部材５の形状から、ツマミ部材５の縦方向を上下方向に沿わせた状態では、ツマミ部材５がスラット６に吸着しずらいので、操作者は自然にスラット６の横方向を上下方向に沿わせてスラット６に吸着させることになる。
この場合には、スラット６は、スラット６の凹部６１内にほぼ収容された状態となり、そのままシャッターカーテン２が巻取ドラム７に巻き取られる際に、重なった状態のシャッターカーテン２同士の間に挟まれた状態で、シャッターカーテン２と共にカバー部材８内に収納され、落下することがない。
【００４３】
また、この際に、ツマミ部材５は、スラット６の凹部６１内に略収容された状態なので、巻き取られたシャッターカーテン２間にツマミ部材５が挟まれた状態となっても、シャッターカーテン２に傷やへこみが生じることがない。
また、ツマミ部材５の縦方向を上下方向に沿わせた場合でも、スラット６同士の連結部にツマミ部材５が吸着する可能性があるが、この場合には、図７に示す、カバー部材８のシャッターカーテン２の通過口８１の室内側に形成された邪魔板として機能する止水パッキン８２にツマミ部材５がぶつかり、ツマミ部材５が落下させられることになる。
【００４４】
この場合に、ツマミ部材５の落下を防止することはできないが、ツマミ部材５がスラット６の連結部に吸着されたままシャッターカーテン２が巻き取られることにより、ツマミ部材５によってシャッターカーテン２に傷やへこみが生じるのを確実に防止することができる。
なお、この際に、ツマミ部材５は、その縦方向がスラット６の上下幅と同じ程度に長いとともに、紐取付部５１もしくは円板部５４がスラット６の凹部６１内に入り込んで、図５の（ａ）に示すように斜めとなることで、シャッターカーテン２から室内側への突出量が多くなり、確実に止水パッキン８２にぶつかることになり、確実にスラット６から引き剥がされることになる。なお、ツマミ部材５が止水パッキン８２に接触した際に、下側のスラット６の凹部６１に入り込んで吸着され、ツマミ部材５が落下せずに、スラット６の凹部６１に収容された状態で巻き取られる可能性も高い。
【００４５】
また、ツマミ部材５の横方向を上下方向に沿わせた状態でも、ツマミ部材５がスラット６の連結部に吸着する可能性があるが、ツマミ部材５の縦方向の端部となる紐取付部５１に、操作紐３が取り付けられているので、操作紐３の荷重によりスラット６の連結部に不安定な状態で吸着したツマミ部材５が回転して縦方向を上下方向に沿わせた状態となり、この場合も確実にツマミ部材５を落下させることができる。
また、止水パッキン８２は軟質な樹脂からなるので、万が一にもスラット６の連結部に吸着したツマミ部材５が止水パッキン８２の部分を通過してしまわないように、止水パッキン８２に代えるか、止水パッキン８２に加えて硬質の樹脂からなる邪魔板を設けてもよい。
【００４６】
ここで、シャッター装置１によっては、スラット６が強磁性体である鉄ではなく、磁石が吸着しないアルミ製の場合がある。
図８に示すように、このようなアルミ製のスラット６ａの場合には、スラット６ａの凹部の底面となる部分に鉄板１２等の強磁性体を貼り付けることにより、ツマミ部材５を吸着させることができる。
この場合も、図９に示すように、ツマミ部材５の横方向を上下方向に沿わせた状態とすることにより、スラット６ａの凹部内にツマミ部材５を収容した状態で、ツマミ部材５の磁石５３をスラット６ａの凹部底面の鉄板１２に吸着させることができる。
【００４７】
また、ツマミ部材５の縦方向を上下方向に沿わせた状態とすると、図１０に示すように、上述の場合と同様に、ツマミ部材５の磁石５３がスラット６ａの凹部底面の鉄板１２に近接もしくは当接することができず、ツマミ部材５をスラット６ａに取り付けることができない。また、アルミ製のスラット６ａの場合には、スラット６ａ同士の連結部に磁石５３が吸着しないので、スラット６ａ同士の連結部にツマミ部材５が吸着してシャッターカーテン２とともに巻き取られてしまうようなことは起こらない。
したがって、シャッターカーテン２を開放する際に、ツマミ部材５が落下したり、シャッターカーテン２と共に巻き取られたツマミ部材５によりシャッターカーテン２に傷やへこみが生じたりすることを確実に防止することができる。
【図面の簡単な説明】
【００４８】
【図１】本発明の実施の形態に係るシャッター装置の縦断面図である。
【図２】前記シャッター装置の操作紐が接続された巾木を示す背面図である。
【図３】前記操作紐の先端部に取り付けられたツマミ部材を示す図面である。
【図４】前記シャッター装置のスラットに取り付けられるツマミ部材を示す正面図である。
【図５】前記スラットに取り付けられるツマミ部材を示す側面図である。
【図６】前記スラットに取り付けられるツマミ部材を示す側面図である。
【図７】前記スラットに取り付けられるツマミ部材を示す側面図である。
【図８】前記例とは異なるスラット示す側面図である。
【図９】図８のスラットに取り付けられるツマミ部材を示す側面図である。
【図１０】図８のスラットに取り付けられるツマミ部材を示す側面図である。
【符号の説明】
【００４９】
２      シャッターカーテン
３      操作紐
５      ツマミ部材
５３    磁石
６      スラット
１０    施錠装置
【図１】
2007308998.tif 000003
【図２】
2007308998.tif 000004
【図３】
2007308998.tif 000005
【図４】
2007308998.tif 000006
【図５】
2007308998.tif 000007
【図６】
2007308998.tif 000008
【図７】
2007308998.tif 000009
【図８】
2007308998.tif 000010
【図９】
2007308998.tif 000011
【図１０】
2007308998.tif 000012